(57)【特許請求の範囲】
【請求項１】
時計としての機能を有するムーブメントの部品を支持する支持基板と、前記ムーブメントを内部に収納するケースと、前記ケースの外部から前記ムーブメントの操作を行うための外部操作部材と、前記ケースおよび前記外部操作部材の間に介装されて防水性を確保するシール部材とを備えている電子時計であって、
前記支持基板および前記シール部材が電気絶縁体からなるとともに、前記外部操作部材および前記ケースが電導体からなり、前記支持基板の形状は、その周縁部のうち、前記外部操作部材の近傍の一部分を切り欠いたサイドカット部を有するものとされ、前記サイドカット部と前記ケースとの間に設けられた導通部材が、前記ケースおよび前記外部操作部材を電気的に導通させており、
前記サイドカット部の近傍には、前記導通部材の位置を決める位置決め手段が設けられ、
前記支持基板の表側面および裏側面の少なくとも一方と、前記ケースとの間には、前記支持基板の厚さ方向の位置を決める緩衝部材が設けられ、前記緩衝部材には、前記支持基板の前記サイドカット部に隣接する段付部が設けられ、前記緩衝部材の前記段付部と前記支持基板の前記サイドカット部とは、前記導通部材の一部分をその間に挟んで位置決めする前記位置決め手段となっていることを特徴とする電子時計。
【請求項２】
請求項１に記載の電子時計において、前記導通部材には、前記段付部と前記支持基板の前記サイドカット部との間に挟まれる爪部が設けられ、前記段付部の前記サイドカット部と対向する面には、前記爪部の形状に応じた凹部が形成されていることを特徴とする電子時計。
【請求項３】
時計としての機能を有するムーブメントの部品を支持する支持基板と、前記ムーブメントを内部に収納するケースと、前記ケースの外部から前記ムーブメントの操作を行うための外部操作部材と、前記ケースおよび前記外部操作部材の間に介装されて防水性を確保するシール部材とを備えている電子時計であって、
前記支持基板および前記シール部材が電気絶縁体からなるとともに、前記外部操作部材および前記ケースが電導体からなり、前記支持基板の形状は、その周縁部のうち、前記外部操作部材の近傍の一部分を切り欠いたサイドカット部を有するものとされ、前記サイドカット部と前記ケースとの間に設けられた導通部材が、前記ケースおよび前記外部操作部材を電気的に導通させており、
前記サイドカット部の近傍には、前記導通部材の位置を決める位置決め手段が設けられ、
前記支持基板の表側面および裏側面の一方と前記ケースとの間には、前記支持基板の厚さ方向の位置を決める緩衝部材が設けられ、前記緩衝部材には、凸部および凹部の少なくとも一方からなる第１凹凸部が設けられ、前記導通部材には、前記緩衝部材の前記第１凹凸部に対応した第２凹凸部が設けられ、これら第１および第２凹凸部が前記位置決め手段となっていることを特徴とする電子時計。
【請求項４】
時計としての機能を有するムーブメントの部品を支持する支持基板と、前記ムーブメントを内部に収納するケースと、前記ケースの外部から前記ムーブメントの操作を行うための外部操作部材と、前記ケースおよび前記外部操作部材の間に介装されて防水性を確保するシール部材とを備えている電子時計であって、
前記支持基板および前記シール部材が電気絶縁体からなるとともに、前記外部操作部材および前記ケースが電導体からなり、前記支持基板の形状は、その周縁部のうち、前記外部操作部材の近傍の一部分を切り欠いたサイドカット部を有するものとされ、前記サイドカット部と前記ケースとの間に設けられた導通部材が、前記ケースおよび前記外部操作部材を電気的に導通させており、
前記サイドカット部の近傍には、前記導通部材の位置を決める位置決め手段が設けられ、
前記支持基板には、凸部および凹部の少なくとも一方からなる第１凹凸部が設けられ、前記導通部材には、前記支持基板の前記第１凹凸部に対応した第２凹凸部が設けられ、これら第１および第２凹凸部が前記位置決め手段となっていることを特徴とする電子時計。
【請求項５】
請求項１ないし請求項４のいずれかに記載の電子時計において、前記ムーブメントの部品として電子回路が設けられ、前記導通部材および前記電子回路は、平面視で当該電子時計の中心を挟んで互いに反対側に配置されていることを特徴とする電子時計。
【請求項６】
時計としての機能を有するムーブメントの部品を支持する支持基板と、前記ムーブメントを内部に収納するケースと、前記ケースの外部から前記ムーブメントの操作を行うための外部操作部材と、前記ケースおよび前記外部操作部材の間に介装されて防水性を確保するシール部材とを備えている電子時計であって、
前記支持基板および前記シール部材が電気絶縁体からなるとともに、前記外部操作部材および前記ケースが電導体からなり、前記支持基板の形状は、その周縁部のうち、前記外部操作部材の近傍の一部分を切り欠いたサイドカット部を有するものとされ、前記サイドカット部と前記ケースとの間に設けられた導通部材が、前記ケースおよび前記外部操作部材を電気的に導通させており、
前記導通部材は、リング状になったものであり、前記ムーブメントの前記部品は、平面視で、環状に形成された前記導通部材の内側に配置され、
前記導通部材の内側および外側の少なくとも一方には、当該導通部材の位置を決める位置決め手段が設けられていることを特徴とする電子時計。
【請求項７】
請求項６に記載の電子時計において、前記支持基板の表側面および裏側面の一方と前記ケースとの間には、前記支持基板の厚さ方向の位置を決める緩衝部材が設けられ、前記緩衝部材には、凸部および凹部の少なくとも一方からなる第１凹凸部が設けられ、前記導通部材には、前記緩衝部材の前記第１凹凸部に対応した第２凹凸部が設けられ、これら第１および第２凹凸部が前記位置決め手段となっていることを特徴とする電子時計。
【請求項８】
請求項６に記載の電子時計において、前記支持基板には、凸部および凹部の少なくとも一方からなる第１凹凸部が設けられ、前記導通部材には、前記支持基板の前記第１凹凸部に対応した第２凹凸部が設けられ、これら第１および第２凹凸部が前記位置決め手段となっていることを特徴とする電子時計。
【請求項９】
請求項６ないし請求項８のいずれかに記載の電子時計において、前記外部操作部材が複数設けられ、前記導通部材には、前記外部操作部材と接触する複数の接触部が設けられていることを特徴とする電子時計。
【請求項１０】
請求項６ないし請求項９のいずれかに記載の電子時計において、前記導通部材は、前記ケース側と対向する面に前記ケース側へ突出する突出部が設けられて、前記支持基板の裏側面と前記ケースとの間に介装される緩衝部材を兼用していることを特徴とする電子時計。
【請求項１１】
請求項１０に記載の電子時計において、前記突出部は、前記導通部材を折り曲げ加工することにより形成されたものであることを特徴とする電子時計。
【請求項１２】
請求項１ないし請求項１１のいずれかに記載の電子時計において、前記導通部材の前記外部操作部材と接触する部分には、その端縁に向かうにつれて前記外部操作部材から離れるテーパー部が設けられていることを特徴とする電子時計。
【発明の詳細な説明】
【０００１】
【発明の属する技術分野】
本発明は、ＩＣ等の電子部品により時計としての機能を確保している電子時計に関する。
【０００２】
【背景技術】
従来より、水晶振動子、トランジスタ、ＩＣおよびＬＳＩ等の電子素子を備えた電子回路で計時する電子時計が利用さている。このような電子時計にも、機械式の時計と同様に、時刻合わせ等の操作を行うために、竜頭および押しボタン等の外部操作部材が設けられている。
また、今日では、電子時計の多機能化が推進され、ラジオ、デジタルカメラおよびコンピュータが電子時計に組み込まれたものが開発されている。このような多機能化された電子時計には、外部機器からのプラグが差し込み可能となった外部接続端子が設けられている。
【０００３】
そして、消費電力を少なくするために、上述のような電子時計には、主要電子素子として、ＭＯＳ構造の電子素子が採用されている。
このため、電子時計は、静電気の影響をより受けやすく、外部接続端子にプラグを差し込む際、あるいは、外部操作部材を手動操作する際に、外部接続端子や外部操作部材を通じて内部に進入した静電気が電子回路に到達すると、静電気によって電子回路が誤動作するおそれがある。
【０００４】
そこで、実願昭５９−１６５５６０号（実開昭６１−８０４８９号）のマイクロフィルムには、プラグと接触する電極の一部分を、時計の金属製ケースに接触させ、当該電極を金属製ケースへ電荷を逃がす導通部材とし、プラグが外部接続端子に接触する際に、プラグに帯電した静電気を金属製ケースへ逃がすようにし、外部接続端子を通じて静電気が内部に進入しても、静電気が電子回路に到達しないようにした電子時計が示されている。
【０００５】
また、特開平９−１７８８６７号公報には、外部操作部材である竜頭を支持する巻真、および、時計の金属製ケースの両方に接触する導電板を設け、この導電板を、金属製ケースへ電荷を逃がす導通部材とし、竜頭を回転操作する際に、人体や衣服に帯電した静電気を金属製ケースへ逃がし、竜頭から巻真を通じて静電気が内部に進入しても、静電気が電子回路に到達しないようにした電子時計が示されている。
【０００６】
【発明が解決しようとする課題】
上述のような電子時計では、導通部材の固定手段として、ねじ止め、半田および接着剤が用いられているので、メンテナンスや修理の際に、電子時計を分解あるいは組立を行うにあたり、ねじ止めの場合には、ねじを緩める作業と締める作業が必要となり、半田の場合には、半田を溶かす作業および再度半田付けする作業が必要となり、接着剤の場合には、導通部材を強制的に引き剥がす等、大きな力を要する作業および時間のかかる再接着作業が必要となる。
このため、いずれの固定手段にしろ、導通部材の取り外しおよび取り付けが面倒となり、電子時計の分解・組立に時間がかかるという問題がある。
特に、メンテナンスや修理の際に、取り外す頻度が高い竜頭および巻真が外部操作部材として設けられている場合には、導通部材の弾性により、当該導通部材が巻真に密着している場合には、導通部材を取り外さないと、巻真の取り外しが行えないので、メンテナンスや修理に時間がかかるという問題がある。
また、導通部材を、その初期たわみによる弾性力で、外部操作部材に弾着させる構造を採用すると、複雑な形状を有する外部操作部材の場合、特に、アナログ電子時計の時刻を修正する、複雑な形状の巻真が外部操作部材となる場合、外部操作部材が導通部材に係止されるため、外部操作部材の着脱が非常に困難となるという問題がある。
【０００７】
本発明の目的は、静電気による誤動作を防止するようにしても、分解および組立が容易に行える電子時計を提供することにある。
【０００８】
【課題を解決するための手段】
本発明の電子時計は、時計としての機能を有するムーブメントの部品を支持する支持基板と、前記ムーブメントを内部に収納するケースと、前記ケースの外部から前記ムーブメントの操作を行うための外部操作部材と、前記ケースおよび前記外部操作部材の間に介装されて防水性を確保するシール部材とを備えている電子時計であって、  前記支持基板および前記シール部材が電気絶縁体からなるとともに、前記外部操作部材および前記ケースが電導体からなり、前記支持基板の形状は、その周縁部のうち、前記外部操作部材の近傍の一部分を切り欠いたサイドカット部を有するものとされ、前記サイドカット部と前記ケースとの間に設けられた導通部材が、前記ケースおよび前記外部操作部材を電気的に導通させており、前記サイドカット部の近傍には、前記導通部材の位置を決める位置決め手段が設けられ、前記支持基板の表側面および裏側面の少なくとも一方と、前記ケースとの間には、前記支持基板の厚さ方向の位置を決める緩衝部材が設けられ、前記緩衝部材には、前記支持基板の前記サイドカット部に隣接する段付部が設けられ、前記緩衝部材の前記段付部と前記支持基板の前記サイドカット部とは、前記導通部材の一部分をその間に挟んで位置決めする前記位置決め手段となっていることを特徴とする。
【０００９】
このような本発明では、人体や衣服に帯電した静電気が外部操作部材を通じて内部に進入しても、当該静電気を導通部材が導電性を有するケースへ逃がすので、ムーブメントに設けられた電子回路に静電気が到達せず、静電気による誤動作が防止される。
また、支持基板のサイドカット部とケースとの間に導通部材を設けたので、導通部材を固定しなくとも、それ自身の弾性力で導通部材が移動しないようになり、導通部材の固定手段が不要となり、導通部材の取り外しおよび取り付けが容易に行え、電子時計の分解・組立に時間がかからず、ひいては、メンテナンスや修理に要する時間が短縮される。
さらに、いままでデッドスペースであったサイドカット部とケースと間の空間に導通部材を配置したので、当該空間が有効利用されるようになるうえ、導通部材を設けても、電子時計の構造を大きく変更する必要がないうえ、電子時計のデザインについては、何ら変更する必要がない。このため、既に製造を開始した電子時計にも大きな設計変更をすることなく容易に適用可能である。
【００１０】
このような本発明の電子時計において、前記サイドカット部の近傍には、前記導通部材の位置を決める位置決め手段が設けられていることが好ましい。
このような位置決め手段を支持基板あるいはケースに設ければ、分解した電子時計を、再度組み立てるにあたり、組立作業中に脱落しない程度に、導通部材が支持基板あるいはケースに固定されるようになり、組立作業が容易になり、メンテナンスや修理に要する時間が一層短縮される。
【００１１】
この際、前記支持基板の表側面および裏側面の一方と前記ケースとの間には、前記支持基板の厚さ方向の位置を決める緩衝部材が設けられている場合に、位置決め手段としては、前記緩衝部材に前記支持基板の前記サイドカット部に隣接する段付部を設け、この段付部と前記支持基板の前記サイドカット部との間に、前記導通部材の一部分を挟んで位置決めする挟持式のもの、あるいは、凸部および凹部の少なくとも一方からなる第１凹凸部を前記緩衝部材に設け、前記支持基板の前記第１凹凸部に対応した第２凹凸部を前記導通部材に設け、これら第１および第２凹凸部からなる嵌入式のものが採用できる。
【００１２】
一方、緩衝部材が設けられていない、あるいは、設けられていても利用したくない場合には、凸部および凹部の少なくとも一方からなる第１凹凸部を前記支持基板に設け、前記支持基板の前記第１凹凸部に対応する第２凹凸部を前記導通部材に設け、これら第１および第２凹凸部が前記位置決め手段となっている嵌入式の位置決め手段を採用することができる。
そして、挟持式の位置決め手段としては、前記導通部材には、前記段付部と前記支持基板の前記サイドカット部との間に挟まれる爪部が設けられ、前記段付部の前記サイドカット部と対向する面には、前記爪部の形状に応じた凹部が形成されているものを採用することが望ましい。
【００１３】
このような挟持式あるいは嵌入式の位置決め手段を採用すれば、位置決め手段を設けるにあたり、電子時計の構造を大きく変更する必要がないうえ、電子時計のデザインについては、何ら変更する必要がなく、しかも、煩雑な加工が一切必要ないので、様々な電子時計に容易に適用可能となるとともに、製造効率を低下させることがない。
【００１４】
また、前述のような本発明の電子時計には、前記ムーブメントの部品として電子回路が設けられ、前記導通部材および前記電子回路は、平面視で当該電子時計の中心を挟んで互いに反対側に配置されていることが好ましい。
このように導通部材および電子回路を配置すれば、静電気の導通部分である外部操作部材の一部と導通部材とが電子回路から離れた位置に配置されるので、静電気の電子回路への到達が一層有効に回避されるようになり、静電気による誤動作の防止がより確実となる。
【００１５】
さらに、本発明の電子時計は、時計としての機能を有するムーブメントの部品を支持する支持基板と、前記ムーブメントを内部に収納するケースと、前記ケースの外部から前記ムーブメントの操作を行うための外部操作部材と、前記ケースおよび前記外部操作部材の間に介装されて防水性を確保するシール部材とを備えている電子時計であって、前記支持基板および前記シール部材が電気絶縁体からなるとともに、前記外部操作部材および前記ケースが電導体からなり、前記支持基板の形状は、その周縁部のうち、前記外部操作部材の近傍の一部分を切り欠いたサイドカット部を有するものとされ、前記サイドカット部と前記ケースとの間に設けられた導通部材が、前記ケースおよび前記外部操作部材を電気的に導通させており、前記導通部材は、リング状になったものであり、前記ムーブメントの前記部品は、平面視で、環状に形成された前記導通部材の内側に配置され、前記導通部材の内側および外側の少なくとも一方には、当該導通部材の位置を決める位置決め手段が設けられていることを特徴とする。
このような導通部材を採用すれば、当該導通部材の表面積が増えるので、静電気の吸収力が増加し、静電気の電子回路への静電気の到達が一層有効に回避されるようになり、静電気による誤動作の防止がより確実となる。
また、環状部の幅寸法を適宜設定し、環状部をケースとムーブメントとの隙間に収納する等により、導通部材を固定しなくとも、導通部材が移動しないようになり、導通部材の固定手段が不要となり、導通部材の取り外しおよび取り付けが容易に行え、電子時計の分解・組立に時間がかからず、ひいては、メンテナンスや修理に要する時間が短縮される。
さらに、ケースとムーブメントとの隙間に導通部材を配置すれば、導通部材の設置スペースを別途確保する必要がなく、電子時計の構造を大きく変更する必要がなくなるうえ、電子時計のデザインについては、何ら変更する必要がない。このため、既に製造を開始した電子時計にも大きな設計変更をすることなく容易に適用可能である。
【００１６】
さらに、前記導通部材の内側および外側の少なくとも一方に当該導通部材の位置を決める位置決め手段が設けられていることにより、分解した電子時計を、再度組み立てるにあたり、組立作業中に脱落しない程度に、支持基板あるいはケースに導通部材を固定することもできるため、組立作業が容易になり、メンテナンスや修理に要する時間が一層短縮される。
【００１７】
この際、前記支持基板の表側面および裏側面の一方と前記ケースとの間に、前記支持基板の厚さ方向の位置を決める緩衝部材が設けられている場合には、凸部および凹部の少なくとも一方からなる第１凹凸部を前記緩衝部材に設け、前記緩衝部材の前記第１凹凸部に対応した第２凹凸部に前記導通部材を設け、これら第１および第２凹凸部からなる嵌入式の位置決め手段が採用できる。
一方、緩衝部材が設けられていない、あるいは、設けられていても利用したくない場合には、凸部および凹部の少なくとも一方からなる第１凹凸部を前記支持基板に設け、前記支持基板の前記第１凹凸部に対応した第２凹凸部を前記導通部材に設け、これら第１および第２凹凸部からなる嵌入式の位置決め手段を採用することができる。
【００１８】
このような位置決め手段を採用すれば、位置決め手段を設けるにあたり、電子時計の構造を大きく変更する必要がないうえ、電子時計のデザインについては、何ら変更する必要がなく、しかも、煩雑な加工が一切必要ないので、様々な電子時計に容易に適用可能となるとともに、製造効率を低下させることがない。
【００１９】
また、前述のような本発明の電子時計において、前記外部操作部材が複数設けられている場合には、前記外部操作部材と接触する複数の接触部を前記導通部材に設けることが望ましい。
このような導通部材を設ければ、外部操作部材が複数設けられていても、一個の導通部材で静電気をケースへ逃がすことが可能となるので、部品数が増えることがなく、分解および組立が容易となる。
【００２０】
この際、前記導通部材としては、前記ケース側と対向する面に前記ケース側へ突出する突出部が設けられて、前記支持基板の裏側面と前記ケースとの間に介装される緩衝部材を兼用しているものが採用できる。
このような導通部材を設ければ、緩衝部材を別途設ける必要がなくなるので、導通部材を増設しても、部品数が増えることがなく、製造時の組立作業が容易となる。
【００２１】
そして、前記突出部としては、前記導通部材を折り曲げ加工することにより形成されたものが採用できる。
このような突出部を採用すれば、外部操作部材と導通する導通部をプレスで成形するのと同時に、突出部の成形も行えるので、緩衝部材を兼用できる形状としても、導通部材の製作が容易となる。
【００２２】
さらに、前述のような本発明の電子時計において、前記導通部材の前記外部操作部材と接触する部分には、その端縁に向かうにつれて前記外部操作部材から離れるテーパー部が設けられていることが好ましい。
このようなテーパー部を導通部材に設ければ、導通部材の端縁に形成される角部が外部操作部材に接触せず、外部操作部材の操作を妨げる大きな摺動抵抗および回動抵抗が解消されるので、外部操作部材の操作がスムースとなる。
【００２３】
なお、前記導通部材の前記外部操作部材と接触する部分の表面には、金メッキが施されていることが好ましい。
このようにすれば、導通部材および外部操作部材の間の接触による電気抵抗である接触抵抗が低減され、大電流の導通が可能となり、静電気がケースへ確実に逃げて、ムーブメントの電子回路に到達せず、静電気による誤動作が確実に行えるようになる。
【００２４】
【発明の実施の形態】
［第１実施形態］
以下、本発明の実施の形態を図面に基づいて説明する。
図１には、本発明の第１実施形態に係る腕時計１が示されている。この腕時計１は、図示しない電子部品が設けられたムーブメント２を備え、このムーブメント２で時刻を示す複数の指針26を駆動するアナログ式の電子時計である。
腕時計１には、図１に示されるように、ムーブメント２の他に、ムーブメント２を内部に収納するケース３と、このケース３の外部からムーブメント２の操作を行うための外部操作部材である巻真４および竜頭５と、ケース３および竜頭５の間に介装されて防水性を確保するシール部材であるパッキン６と、時間を示す目盛り等が形成された文字板７と、指針26および文字板７を覆うガラス板８とが設けられている。
なお、ケース３としては、ステンレス、金およびチタン材等の金属製のものが採用されている。また、パッキン６の材質としては、合成樹脂エラストマやプラスチック等の弾性を有する電気絶縁体が採用されている。
【００２５】
このうちケース３は、腕時計１の裏面を覆おう裏蓋31と、腕時計１の外周縁を囲む胴32と、裏蓋31および胴32の間に介装されて防水性を確保するパッキン33とを備えた有底容器状のものである。このうち、胴32には、文字板７の表面に沿って内側へ突き出たオーバーハング部32A が設けられている。
ケース３のオーバーハング部32A と、ムーブメント２との間には、前述の文字板７と、略リング状に形成された緩衝部材としての文字板受材34とが介装されている。また、ケース３の裏蓋31とムーブメント２との間には、略リング状に形成された緩衝部材としての中枠35が介装されている。
ここで、文字板受材34および中枠35は、ムーブメント２の厚さ方向の位置を決める位置決め材であり、これらの文字板受材34および中枠35の厚さを適宜設定することで、ムーブメント２の厚さ方向の位置が設定可能となっている。
【００２６】
ムーブメント２には、図２の如く、ＩＣ21、コイル22、水晶振動子23、電池24および図示しないパルスモータ等の電子部品が設けられている。これらの部品21〜24は、図示しないフレキシブルプリント基板に取り付けられている。そして、部品21〜24は、フレキシブルプリント基板を介して回路押さえ板27に固定されている。この回路押さえ板27は、当該回路押さえ板27よりも一回り大きい地板28に固定されている。
【００２７】
ここにおいて、地板28は、時計としての機能を有するムーブメント２の部品21〜24を支持する支持基板となっている。
地板28の平面形状は、その周縁部のうち、巻真４の近傍の一部分を直線的に切り欠いたサイドカット部20を有するものとなっている。サイドカット部20とケース３の裏蓋31との間には、弾性を有する平板部材を平面Ｈ形に打ち抜くとともに折り曲げ加工することで形成された導通部材40が設けられている。
ここで、電子回路としてのＩＣ21は、消費電力の少ないＭＯＳ構造のものである。このＩＣ21の地板28における位置は、平面視で腕時計１の中心を挟んで、導通部材40とは反対側の位置となっている。
【００２８】
なお、巻真４の中間部分には、外径が減少している縮径部4Aが設けられている。この縮径部4Aには、図示しないオシドリが係合している。このオシドリは、回路押さえ板27に設けられたオシドリ押さえ部4Bにより縮径部4Aに向かって押圧されている。
そして、オシドリを操作して、巻真４とオシドリとの係合を解除すると、巻真４は、ムーブメント２から容易に抜き出せるようになっている。
【００２９】
ここで、ケース３、巻真４、竜頭５および導通部材40は、電気抵抗が小さく、電気が導通しやすい金属等の電導体からなる一方、パッキン６および地板28は、電気抵抗が著しく、電気がほとんど導通しない合成樹脂等の電気絶縁体からなっている。
これらのうち、導通部材40には、図３ないし図５に示されるように、略長方形状に形成された第１接触部41と、第１接触部41の両端縁から裏蓋31に向かって斜めに延びる一対の弾性変形部42と、弾性変形部42の先端に設けられた第２接触部43と、第１接触部41の両端縁から弾性変形部42とは逆方向へ延びる一対の脚部44と、脚部44の先端から第１接触部41と平行になって互いに離れる方向へ延びる一対のベース部45と、このベース部45の端縁に沿って設けられるとともに、第１接触部41から離れる方向に延びる爪部46とが設けられている。
第１接触部41は、巻真４に接触させるためのものであり、第２接触部43は、ケース３の裏蓋31に接触させるためものである。
【００３０】
導通部材40は、巻真４および裏蓋31の間に弾性変形部42を配置した状態で、裏蓋31を胴32側へ押圧して閉じることにより、弾性変形部42が変形し、その弾性力で、第１接触部41が巻真４に密着するとともに、第２接触部43が裏蓋31に密着し、巻真４と裏蓋31とを電気的に導通させるものとなっている。
巻真４と接触する第１接触部41には、巻真４と交差する方向の端縁に沿って延びるとともに、当該端縁に向かうにつれて巻真４から離れるテーパー部47が設けられている。これらのテーパー部47により、巻真４を回動操作および摺動操作する際に、当該操作を妨げる大きな摺動抵抗および回動抵抗が発生しないようになっている。
【００３１】
また、導通部材40の巻真４と接触する部分の表面には、金メッキが施されており、これにより、導通部材40および巻真４の間の接触による電気抵抗である接触抵抗が低減され、大電流の導通が可能とっている。
【００３２】
このような本第１実施形態では、分解を行うにあたり、裏蓋31を胴32から外すと同時に導通部材40が開放され、導通部材40の取り外しが容易に行える。導通部材40を取り外した後には、導通部材40が巻真４の縮径部4Aに引っかかることがないので、巻真４の抜き取りが容易に行える。
このため、裏蓋31を開けた後、速やかに、オシドリ押さえ部4Bの操作が行え、オシドリ押さえ部4Bを操作して、巻真４とオシドリとの係合を解除し、竜頭５とともに巻真４をムーブメント２およびケース３から取り外せば、ムーブメント２がケース３から開放されるので、ムーブメント２の取り外しが容易に行えるようになる。
【００３３】
前述のような本第１実施形態によれば、次のような効果が得られる。
すなわち、巻真４と裏蓋31とを電気的に導通させる導通部材40を設け、人体や衣服に帯電した静電気が巻真４を通じて内部に進入しても、当該静電気を導通部材40が裏蓋31へ逃がすので、ムーブメント２に設けられたＩＣ21に静電気が到達せず、静電気による誤動作を防止することができ、ＩＣ21がワンチップでＣＰＵ（中央処理装置）を構成するマイクロプロセッサである場合には、静電気によるリセットが回避でき、リセットによる初期化を未然に防止できる。
【００３４】
また、地板28のサイドカット部20とケース３との間に導通部材40を設けたので、裏蓋31を閉じれば、導通部材40を固定しなくとも、それ自身の弾性力で導通部材40が移動せず、導通部材40の固定手段が不要となり、導通部材40の取り外しおよび取り付けが容易に行え、腕時計１の分解・組立を短時間で行うことができ、ひいては、メンテナンスや修理に要する時間を短縮できる。
【００３５】
さらに、組立作業を容易にするために設けていたサイドカット部20は、通常の時計では、時計としての機能の実現に寄与しないデッドスペースとなっていたが、このサイドカット部20とケース３との間の空間に導通部材40を配置したので、当該空間が有効利用されるようになるうえ、導通部材40を設けても、腕時計１の構造を大きく変更する必要がなくなるとともに、腕時計１のデザインについても何ら変更する必要がなく、様々な腕時計に導通部材40を設けることができる。しかも、既に製造を開始した腕時計にも大きな設計変更をすることなく、容易に導通部材40を設けることができる。
【００３６】
また、ＩＣ21の地板28における位置を、平面視で腕時計１の中心を挟んで、導通部材40とは反対側の位置にしたので、巻真４の静電気が導通する部分がＩＣ21から離れた位置に配置され、静電気のＩＣ21への到達が一層有効に回避されるようになり、ＩＣ21が静電気の影響を受けやすいＭＯＳ構造であっても、ＩＣ21の静電気による誤動作を確実に防止できる。
【００３７】
さらに、巻真４と接触する第１接触部41に、巻真４と交差する方向の端縁に沿って延びるとともに、当該端縁に向かうにつれて巻真４から離れるテーパー部47を設けたので、導通部材40の端縁に形成される角部が巻真４に接触せず、竜頭５の操作を妨げる大きな摺動抵抗および回動抵抗が解消され、竜頭５の操作をスムースに行うことができる。
【００３８】
また、導通部材40の巻真４と接触する部分の表面に、金メッキを施し、導通部材40および巻真４の間の接触抵抗を低減し、大電流の導通を可能としたので、静電気がケース３へ確実に逃げて、ムーブメント２のＩＣ21に到達せず、静電気による誤動作を確実に防止できる。
【００３９】
［第２実施形態］
図６ないし図８には、本発明の第２実施形態が示されている。本第２実施形態は、前記第１実施形態における腕時計１に、凹凸嵌入式の位置決め手段を追加したものである。
すなわち、地板28のサイドカット部20とケース３の裏蓋31との間には、図６および図７に示されるように、導通部材40A が配置されている。ここで、サイドカット部20の近傍には、地板28の厚さ方向の中間位置において、裏蓋31に対して平行となった平面を有する庇状部50が設けられている。
この庇状部50の平面には、導通部材40A のベース部45が配置されるとともに、一対の凸部51が突設されている。
【００４０】
導通部材40A は、図８に示されるように、前記第１実施形態における導通部材40から爪部46を省略するとともに、ベース部45に凹部としての挿通孔52を設けたものである。
図６および図７に戻って、地板28側の凸部51は、第１凹凸部であり、導通部材40A 側の挿通孔52は、地板28側の凸部51が嵌入される第２凹凸部となっている。これら凸部51および挿通孔52が位置決め手段となっている。
【００４１】
このような第２実施形態においても、前記第１実施形態と同様な作用、効果を得ることができる他、次のような効果が付加できる。
すなわち、地板28側の凸部51および導通部材40A 側の挿通孔52からなる位置決め手段を設けたので、分解した電子時計を、再度組み立てるにあたり、組立作業中に脱落しない程度に、地板28に導通部材40A を固定できるうえ、裏蓋31がねじ込み式であっても、裏蓋31のねじ込みの際に、導通部材40A が移動することがなく、組立作業を容易に行うことができ、メンテナンスや修理に要する時間を一層短縮できる。
【００４２】
また、凸部51および挿通孔52からなる位置決め手段を採用したので、位置決め手段を設けても、腕時計１の構造を大きく変更する必要がないうえ、腕時計１のデザインについては、何ら変更する必要がなく、しかも、煩雑な加工を一切必要としないので、様々な電子時計に容易に導通部材40A およびその位置決め手段を設けることができ、導通部材40A およびその位置決め手段を設けても、製造効率を低下させることがない。
【００４３】
［第３実施形態］
図９ないし図１１には、本発明の第３実施形態が示されている。本第３実施形態は、前記第２実施形態における地板28に設けられた凸部51を、文字板受材34A に設けられた凸部51としたものである。
すなわち、地板28のサイドカット部20とケース３の裏蓋31との間には、図９に示されるように、導通部材40A が配置されている。この導通部材40A は、前記第２実施形態で説明したものと同じなので、説明は省略する。
そして、地板28の表側に配置された文字板受材34A は、図１０の如く、略リング状に形成されるとともに、図１１の如く、他の部分よりも厚い圧肉部53を備えている。
【００４４】
図９ないし図１１において、圧肉部53は、サイドカット部20と裏蓋31との間に形成された空間に応じた形状を備えたものである。圧肉部53の裏蓋31と対向する面53A には、巻真４を挿通させるために、その中心線に沿った溝部54が設けられている。この溝部54の両側には、導通部材40A のベース部45が配置されるとともに、面53A から裏蓋31へ向かって突出する一対の凸部51が設けられている。
文字板受材34A 側の凸部51は、第２凹凸部である導通部材40A 側の挿通孔52に嵌入される第２凹凸部となっている。これら凸部51および挿通孔52が位置決め手段となっている
このような第３実施形態においても、前記第２実施形態と同様な作用、効果を得ることができる。
【００４５】
［第４実施形態］
図１２ないし図１５には、本発明の第３実施形態が示されている。本第３実施形態は、前記第２および第３実施形態おける凹凸嵌入式の位置決め手段を、挟持式の位置決め手段としたものである。
すなわち、地板28のサイドカット部20とケース３の裏蓋31との間には、図１２に示されるように、導通部材40が配置されている。この導通部材40は、前記第１実施形態で説明したものと同じなので、説明は省略する。
そして、地板28の表側に配置された文字板受材34B は、図１３の如く、略リング状に形成されるとともに、図１４の如く、他の部分よりも厚い段付部55を備えている。
【００４６】
図１２ないし図１５において、段付部55は、サイドカット部20と裏蓋31との間に形成された空間に応じた形状を備えたものである。
段付部55の裏蓋31と対向する面55A には、巻真４を挿通させるために、その中心線に沿った溝部54が設けられている。
段付部55のサイドカット部20と対向する面55B には、文字板受材34B の厚さ方向に延びる一対の凹部56が形成されている。これらの凹部56は、導通部材40の爪部46の形状に応じた形状のものであり、溝部54の両側に配置されている。
導通部材40は、爪部46が凹部56に嵌入された状態で、段付部55とサイドカット部20との間に挟まれることで位置決めされるようになっている。
ここにおいて、文字板受材34B の段付部55と地板28のサイドカット部20とは、導通部材40の爪部46をその間に挟んで位置決めする挟持式の位置決め手段となっている。
このような第４実施形態においても、前記第２および第３実施形態と同様な作用、効果を得ることができる。
【００４７】
［第５実施形態］
図１６ないし図１８には、本発明の第５実施形態が示されている。本第５実施形態は、前記第１ないし第４実施形態おける、全体がサイドカット部20と裏蓋31との間に収納されてしまう導通部材40,40Aを、ムーブメント２の外周縁に沿った環状部を備えた環状の導通部材40B としたものである。
すなわち、導通部材40B は、図１６に示されるように、巻真４および裏蓋31を相互に導通する導通部61と、リング状に形成された環状部62とを備えたものとなっている。
導通部61には、前記第１実施形態における導通部材40と同様に、巻真４と接触する第１接触部41と、弾性変形する弾性変形部42と、裏蓋31と接触する第２接触部43と、第１接触部41の両端縁から延びる脚部44とが設けられている。
環状部62には、導通部61から９０度移動した角度位置に一対の凸部63が設けられている。これらの凸部63は、互いに対向するとともに、環状部62の内側へ向かって突出している。
【００４８】
腕時計１のムーブメント２およびその部品21〜24は、図１７および図１８に示されるように、導通部材40B の内側に配置されている。
そして、地板28A は、その周面に段付部64が形成されたものとなっている。
この段付部64の裏蓋31と対向する面には、導通部材40B の環状部62を介して中枠35の端面が当接している。また、段付部64の周面には、導通部材40B の凸部63に応じて、第１凹凸部としての凹部65が設けられている。
なお、導通部材40B の導通部61は、サイドカット部20と裏蓋31との間に配置されている。
ここで、導通部材40B の凸部63は、地板28A 側の凹部65に嵌入される第２凹凸部である。これら凸部51および凹部65が導通部材40B の位置決め手段となっている。
このような第５実施形態においても、前記第２ないし第４実施形態と同様な作用、効果を得ることができる他、次のような効果が付加できる。
すなわち、環状の導通部材40B を採用し、導通部材40B の表面積を増やしたので、導通部材40B の静電気吸収力が増加し、静電気のＩＣ21への静電気の到達が一層有効に回避されるようになり、静電気による誤動作をより確実に防止することができる。
【００４９】
また、導通部材40B の環状部62を地板28A と中枠35との間に介装したので、導通部材40B の設置スペースを別途確保する必要がなく、腕時計１の構造を大きく変更する必要がなくなるうえ、腕時計１のデザインについては、何ら変更する必要がなく、環状の導通部材40B を採用しても、様々な腕時計に適用でき、新規設計の腕時計に限らず、既に製造を開始した腕時計であっても、大きな設計変更をすることなく容易に適用できる。
【００５０】
［第６実施形態］
図１９には、本発明の第６実施形態が示されている。本第６実施形態は、前記第５実施形態おける地板28A に設けられた第１凹凸部を、緩衝部材である中枠35A に設けられた第１凹凸部としたものである。
すなわち、地板28A は、図１９の如く、その周面に形成された鍔部66を備えたものとなっている。この鍔部66の裏蓋31と対向する面には、中枠35A の端面が当接している。
また、中枠35A の周面には、導通部材40B の凸部63に応じて、第１凹凸部としての凹部67が設けられている。そして、導通部材40B の凸部63は、中枠35A の凹部67に嵌入される第２凹凸部となっている。これら凸部51および凹部67が導通部材40B の位置決め手段となっている。
このような第６実施形態においても、前記第５実施形態と同様な作用、効果を得ることができる。
【００５１】
［第７実施形態］
図２０および図２１には、本発明の第７実施形態が示されている。本第７実施形態は、前記第５実施形態おける外部操作部材を１個のみ備えた腕時計を、複数の外部操作部材が設けられた腕時計1Aとしたものである。
すなわち、腕時計1Aのムーブメント2Aは、図２０に示されるように、外部操作部材として、巻真４の他に、複数の押しボタン68を備えたものとなっている。
このようなムーブメント2Aに対し、導通部材40C は、図２１に示されるように、巻真４および裏蓋31を相互に導通する導通部61の他に、裏蓋31に押しボタン68を導通させる複数の導通部61A を備えたものとなっている。
各導通部61A には、導通部61と同様に、押しボタン68と接触する第１接触部41と、弾性変形する弾性変形部42と、裏蓋31と接触する第２接触部43と、第１接触部41の両端縁から延びる脚部44とが設けられている。
ただし、導通部61には、第１接触部41および弾性変形部42が一対設けられているのに対し、導通部61A の各々には、第１接触部41および弾性変形部42が１個のみ設けられている。
【００５２】
このような第７実施形態においても、前記第５実施形態と同様な作用、効果を得ることができる他、次のような効果が付加できる。
すなわち、外部操作部材として、腕時計1Aに設けられた巻真４および押しボタン68のいずれを操作しても、巻真４および押しボタン68は、導通部61および導通部61A を介して裏蓋31に導通しているので、静電気がＩＣ21に到達せず、静電気による誤動作を防止することができる。
しかも、外部操作部材が複数設けられていても、一個の導通部材40C で静電気でケース３の裏蓋31へ逃がすことが可能となるので、部品数が増えることがなく、この点からも、分解および組立を容易に行うことができる。
【００５３】
［第８実施形態］
図２２には、本発明の第８実施形態が示されている。本第８実施形態は、前記第５実施形態おける平板状の環状部62を備えた導通部材40B を、凹凸のある環状部62A を備えた導通部材40D としたものである。
すなわち、導通部材40D は、図２２に示されるように、導通部材40D の環状部62A を折り曲げ加工することにより形成された突出部69を備えたものとなっている。突出部69は、環状部62A の裏蓋31と対向する面に裏蓋31側へ突出するものとなっている。この突出部69により、導通部材40D は、地板28A の裏側面とケース３の裏蓋31との間に介装される緩衝部材である中枠35を兼用している。
【００５４】
このような第８実施形態においても、前記第５実施形態と同様な作用、効果を得ることができる他、次のような効果が付加できる。
すなわち、導通部材40D が中枠35を兼用するので、中枠35を省略でき、部品数が減り、分解および組立を一層容易に行うことができる。
そのうえ、折り曲げ加工で突出部69を形成するようにしたので、巻真４および押しボタン68のそれぞれに接触する導通部61および導通部61A をプレスで成形するのと同時に、突出部69の成形も行えるので、導通部材40D で中枠35を兼用するようにしても、導通部材40D を容易に製作できる。
【００５５】
以上、本発明について好適な実施形態を挙げて説明したが、本発明は、この実施形態に限られるものでなく、本発明の要旨を逸脱しない範囲において種々の改良並びに設計の変更が可能である。
例えば、ケースとしては、裏蓋と胴とに分割されたツーピースのものに限らず、裏蓋と胴とが一体成形されたにワンピースのものや、三個以上に分割されたものでもよい。
この際、ケースとしては、金属製のものに限らず、合成樹脂を所定の形状に成形するとともに、その内側の面にアルミニウムの蒸着膜や、金属メッキ層が形成されたものでもよく、要するに、少なくとも、内側の面に導電性が確保され、外部操作部材から進入した静電気を吸収し、静電気の電子回路への到達を防止し、静電気による誤動作回避を実現できるものであればよい。
【００５６】
また、第１凹凸部としては、凸部および凹部のいずれか一方を備えたものに限らず、凸部および凹部の両方を備えたものでもよく、同等に、第２凹凸部としては、凸部および凹部のいずれか一方を備えたものに限らず、凸部および凹部の両方を備えたものでもよく、要するに、第１凹凸部と第２凹凸部とが互いに嵌合あるいは遊嵌できればよい。
【００５７】
さらに、環状の導通部材としては、その内側に位置決め手段が設けられたものに限らず、外側の位置決め手段が設けられたものや、内側および外側の両方に位置決め手段が設けられたものでもよい。
また、支持基板としては、地板に限らず、プラスチック製の輪列受けや、合成樹脂製の回路押さえ板でもよく、要するに、電気を導通しない材質で形成されるとともに、時計としての機能を有するムーブメントの部品を支持できるものであればよい。
【００５８】
さらに、ムーブメントとしては、真円の一部を切り欠いた平面形状を有するものに限らず、楕円の一部を切り欠いた平面形状を有するものや、サイドカット部が複数形成されて多角形となったものでもよい。
具体的には、図２３に示されるように、略楕円の平面形状を有し、その長軸の両端に設けられたサイドカット部20A と、短軸の一端に設けられたサイドカット部20B とを有するムーブメント2Cでもよい。このようなムーブメント2Cを採用すれば、楕円形のケース3Aに収納することができる。
あるいは、図２４に示されるように、楕円の長軸および短軸の両端にサイドカット部20を設け、平面形状が多角形となったムーブメント2Dでもよい。このようなムーブメント2Dを採用すれば、楕円形のケース3Aおよび長方形のケース3Bの両方に収納することができる。
【００５９】
【発明の効果】
上述のように本発明によれば、電子時計の静電気による誤動作を防止できるうえ、電子時計の分解および組立も容易に行うことができる。
【図面の簡単な説明】
【図１】本発明の第１実施形態に係る腕時計を示す断面図である。
【図２】前記第１実施形態の腕時計のムーブメントを示す底面図である。
【図３】前記第１実施形態の導通部材を示す斜視図である。
【図４】前記第１実施形態のムーブメントおよび導通部材を示す側面図である。
【図５】前記第１実施形態の要部を示す側面図である。
【図６】本発明の第２実施形態に係るムーブメントを示す底面図である。
【図７】前記第２実施形態のムーブメントおよび導通部材を示す側面図である。
【図８】前記第２実施形態の導通部材を示す斜視図である。
【図９】本発明の第３実施形態に係るムーブメントを示す底面図である。
【図１０】前記第３実施形態の緩衝部材である文字板受材を示す底面図である。
【図１１】前記第３実施形態のムーブメントおよび導通部材を示す側面図である。
【図１２】本発明の第４実施形態に係るムーブメントを示す底面図である。
【図１３】前記第４実施形態の文字板受材を示す底面図である。
【図１４】前記第４実施形態のムーブメントおよび導通部材を示す側面図である。
【図１５】前記第４実施形態の要部を示す側面図である。
【図１６】本発明の第５実施形態に係る導通部材を示す底面図および矢視（Ａ）における側面図である。
【図１７】前記第５実施形態のムーブメントを示す底面図である。
【図１８】前記第５実施形態のムーブメントおよび導通部材を示す一部破断した側面図である。
【図１９】本発明の第６実施形態に係るムーブメントおよび導通部材を示す一部破断した側面図である。
【図２０】本発明の第７実施形態に係るムーブメントを示す底面図である。
【図２１】本発明の第７実施形態に係る導通部材を示す底面図および矢視（Ａ）〜（Ｃ）における側面図である。
【図２２】本発明の第８実施形態に係る導通部材を示す底面図および矢視（Ａ）、（Ｂ）における側面図である。
【図２３】本発明の変形例のムーブメントを示す底面図である。
【図２４】本発明の異なる変形例に係るムーブメントを示す底面図である。
【符号の説明】
１，1A  時計としての腕時計
２，2A，2C，2D  ムーブメント
３，3A，3B  ケース
４  外部操作部材としての巻真
６  シール部材としてのパッキン
20,20A,20B  サイドカット部
21  電子回路としてのＩＣ
28,28A,28B  支持基板としての地板
31  ケースを構成する裏蓋
34,34A,34B  緩衝部材としての文字板受材
35,35A  緩衝部材としての中枠
40，40A〜40D  導通部材
41  接触部である第１接触部
46  爪部
47  テーパー部
51，63  位置決め手段を構成する凸部
52  位置決め手段を構成する凹部としての挿通孔
56  爪部の形状に応じた凹部
62,62A  環状部
65，67  位置決め手段を構成する凹部
68  外部操作部材としての押しボタン
69  突出部
【図１】
0003636058.tif 000002
【図２】
0003636058.tif 000003
【図３】
0003636058.tif 000004
【図４】
0003636058.tif 000005
【図５】
0003636058.tif 000006
【図６】
0003636058.tif 000007
【図７】
0003636058.tif 000008
【図８】
0003636058.tif 000009
【図９】
0003636058.tif 000010
【図１０】
0003636058.tif 000011
【図１１】
0003636058.tif 000012
【図１２】
0003636058.tif 000013
【図１３】
0003636058.tif 000014
【図１４】
0003636058.tif 000015
【図１５】
0003636058.tif 000016
【図１６】
0003636058.tif 000017
【図１７】
0003636058.tif 000018
【図１８】
0003636058.tif 000019
【図１９】
0003636058.tif 000020
【図２０】
0003636058.tif 000021
【図２１】
0003636058.tif 000022
【図２２】
0003636058.tif 000023
【図２３】
0003636058.tif 000024
【図２４】
0003636058.tif 000025